(57)【特許請求の範囲】
【請求項１】
圧力形マイクロホンをカプラ内に挿入し、このカプラ内に電気音響変換手段により音圧を発生させ、この音圧を圧力形マイクロホンに供給する音響校正器において、大気圧を検出する大気圧検出手段と、この大気圧検出手段の検出値に応じた所定の音圧に前記カプラ内がなるように前記電気音響変換手段を制御する音圧制御手段を備えることを特徴とする音響校正器。
【発明の詳細な説明】
【０００１】
【発明の属する技術分野】
本発明は、圧力形マイクロホンを備える騒音計等の音響測定器の感度を校正する音響校正器に関する。
【０００２】
【従来の技術】
圧力形マイクロホンを備える騒音計等の音響測定器の精度を維持するために、定期的に圧力形マイクロホンの音響校正を行う必要があり、このために音響校正器が使用される。
【０００３】
従来の音響校正器は、図３に示すように、校正対象となるマイクロホン１００を挿入するカプラ１０１、カプラ１０１内に所定音圧の校正音を供給する電気音響変換器１０２、電気音響変換器１０２を駆動する増幅器１０３、増幅器１０３を通して安定した一定の音圧信号を電気音響変換器１０２に入力する信号源１０４などで構成されている。この他に、気圧計と気圧補正用の表が付属している。
【０００４】
気圧計と気圧補正用の表は、信号源１０４が一定の出力の場合において、大気圧が変化すると電気音響変換器１０２から出力される音圧が変化してしまうため、校正作業者が校正音を補正する場合に、音響校正器にとって必要とされていた。
【０００５】
【発明が解決しようとする課題】
しかしながら、図３に示す音響校正器においては、測定作業者は気圧の変化に注意し、気圧が変化した場合には気圧補正を行わなければならないので、音響校正作業が繁雑なものとなっていた。
【０００６】
本発明は、従来の技術が有するこのような問題点に鑑みてなされたものであり、その目的とするところは、気圧の変化を気にすることなく、効率よく音響校正が行える音響校正器を提供しようとするものである。
【０００７】
【課題を解決するための手段】
上記課題を解決すべく本発明は、圧力形マイクロホンをカプラ内に挿入し、このカプラ内に電気音響変換手段により音圧を発生させ、この音圧を圧力形マイクロホンに供給する音響校正器において、大気圧を検出する大気圧検出手段と、この大気圧検出手段の検出値に応じた所定の音圧に前記カプラ内がなるように前記電気音響変換手段を制御する音圧制御手段を備えるものである。
【０００８】
【発明の実施の形態】
以下に本発明の実施の形態を添付図面に基づいて説明する。ここで、図１は本発明に係る音響校正器の構成図、図２は振幅の大きさにより選択される校正音信号波形を代表例として３種類（最小振幅、中間の振幅、最大振幅）示す図である。
【０００９】
一般に、電磁形イヤホンなどの電気音響変換器を一定の入力で駆動して、カプラの空洞内に音圧を発生させる場合、大気圧が変化すると、空洞内に発生する音圧も大気圧の値に応じて変化する（大気圧が高くなると音圧も高くなり、大気圧が低くなると音圧も低くなる）。
【００１０】
従って、一般の電気音響変換器では、大気圧の変化に対応できず、一定な音圧を供給できないため、気圧計と気圧補正用の表を用いた補正作業をしなければ、正確な音響校正を行うことができない。
【００１１】
そこで、本発明に係る音響校正器は、図１に示すように、大気圧センサ１と、Ａ／Ｄ変換器２と、演算・制御部３と、記憶部４と、Ｄ／Ａ変換器５と、増幅器６と、電磁形イヤホン７と、カプラ８から構成される。なお、９は校正対象となる圧力形マイクロホンである。
【００１２】
大気圧センサ１は、大気圧を検出して大気圧に応じた電気信号を出力する。Ａ／Ｄ変換器２は、大気圧センサ１が出力するアナログ信号をデジタル信号に変換し、それを演算・制御部３に出力する。
【００１３】
演算・制御部３は、Ａ／Ｄ変換器２の出力信号から大気圧を算出すると共に、算出した大気圧に対応する校正音信号波形としての最適な振幅を求め、その振幅に最も近い振幅を有する校正音信号波形を、記憶部４に予め記憶されている中から選択し、それをＤ／Ａ変換器５に出力する。
【００１４】
記憶部４は、大気圧の変動にかかわらず常に一定の校正音圧を電磁形イヤホン７から出力させるため、校正音信号波形の振幅を最小値ａ１から最大値ａｎまである等間隔に設定し（ａ１，ａ２，ａ３，……，ａｎ）、それらの振幅の値（ａ１，ａ２，ａ３，……，ａｎ）を有する校正音信号波形（Ｙ１，Ｙ２，Ｙ３，……，Ｙｎ）を格納している。即ち、校正音信号波形Ｙ１の振幅の値はａ１、校正音信号波形Ｙ２の振幅の値はａ２、……、校正音信号波形Ｙｎの振幅の値はａｎとする。
【００１５】
図２には、３００種類（ｎ＝３００）の校正音信号波形（Ｙ１，Ｙ２，Ｙ３，……，Ｙ３００）を記憶部４に格納した場合における、最小の振幅値ａ１を有する校正音信号波形Ｙ１、中間の振幅値ａ１５０を有する校正音信号波形Ｙ１５０、最大の振幅値ａ３００を有する校正音信号波形Ｙ３００を示している。
【００１６】
Ｄ／Ａ変換器５は、演算・制御部３からのデジタル信号をアナログ信号に変換し、それを増幅器６に出力する。増幅器６は、Ｄ／Ａ変換器５から出力されたアナログ信号を所望のレベルまで増幅して電磁形イヤホン７に出力する。電磁形イヤホン７は、増幅器６で増幅されたアナログ信号により駆動され、カプラ８の空洞８ａに所望な音圧の校正音を出力する。
【００１７】
カプラ８は、電磁形イヤホン７と校正対象となる圧力形マイクロホン９を小容積の空洞８ａを介して結合する。電磁形イヤホン７はカプラ８に固定され、圧力形マイクロホン９はカプラ８の挿入口８ｂに着脱自在に装着される。なお、８ｃは外気と空洞８ａとを連通する連通孔である。
【００１８】
以上のように構成した本発明に係る音響校正器の動作について説明する。
先ず、図１に示すように、校正対象となる圧力形マイクロホン９をカプラ８の挿入口８ｂに装着する。
【００１９】
起動スイッチ（不図示）をオン状態にすると、大気圧センサ１が、大気圧を検出して大気圧に応じた電気信号を出力する。すると、Ａ／Ｄ変換器２が、大気圧センサ１が出力したアナログ信号をデジタル信号に変換し、それを演算・制御部３に出力する。
【００２０】
演算・制御部３では、Ａ／Ｄ変換器２の出力信号から大気圧を算出すると共に、算出した大気圧に対応する最適な振幅を求め、その振幅に最も近い振幅を有する校正音信号波形を記憶部４に予め記憶されている校正音信号波形（Ｙ１，Ｙ２，Ｙ３，……，Ｙｎ）の中から選択する。選択された校正音信号波形が、Ｄ／Ａ変換器５に入力される。
【００２１】
Ｄ／Ａ変換器５では、演算・制御部３からのデジタル信号をアナログ信号に変換し、それを増幅器６に出力する。増幅器６では、Ｄ／Ａ変換器５が出力したアナログ信号を所望のレベルまで増幅して電磁形イヤホン７に出力する。
【００２２】
すると、電磁形イヤホン７は、増幅器６で増幅されたアナログ（電流）信号により駆動され、カプラ８の空洞８ａに所望な音圧の校正音を出力する。
従って、電磁形イヤホン７への入力電流を制御することにより、大気圧の変動にかかわらず常に一定の校正音圧が電磁形イヤホン７から出力される。
【００２３】
なお、上述の発明の実施の形態においては、変動する大気圧の値に対応した最適な振幅波形を有する校正音信号波形を予め記憶部４に３００種類格納し、それを選択するようにしたが、記憶部４を用いずに、演算・制御部３で最適な振幅の波形をその都度演算し生成して出力するようにしてもよい。
また、電気音響変換手段として、電磁形イヤホン７を用いた場合について説明したが、その他、動電形等の電気音響変換手段を用いてもよい。
【００２４】
【発明の効果】
以上説明したように本発明によれば、気圧が変化しても、自動的に電気音響変換手段の発する校正音の音圧が一定になるように、電気音響変換手段への入力信号を制御するので、気圧変動を気にすることなく効率的に騒音計等の音響校正を行うことができる。
【図面の簡単な説明】
【図１】本発明に係る音響校正器の構成図
【図２】振幅の大きさにより選択される校正音信号波形を代表例として３種類（最小振幅、中間の振幅、最大振幅）示す図
【図３】従来の音響校正器の構成図
【符号の説明】
１…大気圧センサ、２…Ａ／Ｄ変換器、３…演算・制御部、４…記憶部、５…Ｄ／Ａ変換器、６…増幅器、７…電磁形イヤホン、８…カプラ、９…圧力形マイクロホン。
【図１】
0003569202.tif 000002
【図２】
0003569202.tif 000003
【図３】
0003569202.tif 000004